(57)【要約】【課題】  可動フードのリールシートからの抜け出しを阻止するとともに、可動フード等に対するメインテナンス作業を行う際の可動フードの取外し作業を容易に行うことができるリールシートの構造、及び、釣り竿を提供する。【解決手段】  リールシート５に可動フード７を摺動移動自在に装着するとともに、可動フード７を摺動移動端から取付取外し可能に構成する。摺動移動端に可動フード７の抜出しを阻止する受止部材１１を設け、受止部材１１を摺動移動端の所定位置に着脱自在に装着し、受止部材１１の端縁部で裏面側にマイナスドライバの差込用の凹入溝５ｃを形成してある。【選択図】        図７
2006025685.tif 000002
【特許請求の範囲】
【請求項１】
リールシートに可動フードを摺動移動自在に装着するとともに、前記可動フードを摺動移動端から取付取外し可能に構成し、前記摺動移動端に可動フードの抜出しを阻止する受止部材を設け、前記受止部材を前記摺動移動端の所定位置に着脱自在に装着し、前記受止部材の端縁部で裏面側に取外治具の差込用の凹入溝を形成してあるリールシートの可動フード取付構造。
【請求項２】
リールシートに可動フードを摺動移動自在に装着するとともに、前記可動フードを摺動移動端から取付取外し可能に構成し、前記摺動移動端に可動フードの抜出しを阻止する受止部材を設け、前記受止部材を前記摺動移動端の所定位置に着脱自在に装着し、前記所定位置に、前記受止部材の端縁部に取外治具を作用させるための差込用の凹入溝を形成してあるリールシートの可動フード取付構造。
【請求項３】
リールシートに可動フードを摺動移動自在に装着するとともに、前記可動フードを摺動移動端から取付取外し可能に構成し、前記摺動移動端に可動フードの抜出しを阻止する受止部材を設け、前記受止部材を前記摺動移動端の所定位置に着脱自在に装着し、前記受止部材をその所定位置に取付けた状態で、前記受止部材の端縁部の裏面とその端縁部に対向する前記所定位置の縁部との夫々に、取外治具の差込用の凹入溝を形成してあるリールシートの可動フード取付構造。
【請求項４】
請求項１〜３のうちいずれか一つに記載の可動フード用の受止部材を備えたリールシートを筒状体に形成し、その筒状リールシートを元竿の所定位置に嵌着してある釣り竿。
【発明の詳細な説明】
【技術分野】
【０００１】
本発明は、リールを取り付けるリールシートの可動フード取付構造及び釣り竿に関する。
【背景技術】
【０００２】
釣り竿のリールシートは、リール脚を挿入して固定するためのフードを竿先側と竿尻側とに設けるが、少なくとも一方を可動フードとしている。そして、可動フードの後端位置に可動フードをガイドするガイド溝からの抜出しを阻止する、受止部材を設けてあるものがある（特許文献１参照）。
【０００３】
【特許文献１】特開２００３−０７０３９６号公報（公報段落番号〔００１１〕、図２、４）
【発明の開示】
【発明が解決しようとする課題】
【０００４】
可動フード等が汚損された場合や損傷した場合には、可動フードをリールシートから取り外す必要があるが、上記した従来技術においては、受止部材の取外し構造が明確に記載されてはいないところから、取外し構造は不明である。
【０００５】
本発明の目的は、可動フードがリールシートから抜け出すことを防止するとともに、可動フード等にメインテナンス作業を行う場合には容易に取外し可能に構成する点にある。
【課題を解決するための手段】
【０００６】
〔構成〕
請求項１に係る発明の特徴構成は、リールシートに可動フードを摺動移動自在に装着するとともに、前記可動フードを摺動移動端から取付取外し可能に構成し、前記摺動移動端に可動フードの抜出しを阻止する受止部材を設け、前記受止部材を前記摺動移動端の所定位置に着脱自在に装着し、前記受止部材の端縁部で裏面側に取外治具の差込用の凹入溝を形成してある点にあり、その作用効果は次の通りである。
【０００７】
〔作用〕
受止部材によって可動フードがリールシートから抜出すことを阻止でき、メインテナンス作業等を行う場合には、受止部材をリールシートの所定位置から取外し、可動フードを取り外す。メインテナンス作業等を終えた後には、可動フードを所定位置に装着し、受止部材を取り付けて可動フードの抜出しを阻止する。
この受止部材を取り外す際には、取外治具を差込用の凹入溝内に差込み、その取外治具を操作して受止部材を取り外すことができる。
【０００８】
〔効果〕
上記のように、差込用の凹入溝は受止部材の裏面側に設けてあるので、受止部材の表面側からは視認することができず、装飾効果が高いものであるにもかかわらず、受止部材の端縁部に形成してあるので、取外治具を差し込む操作上での不都合は少ない。
【０００９】
請求項２に係る発明の特徴構成は、リールシートに可動フードを摺動移動自在に装着するとともに、前記可動フードを摺動移動端から取付取外し可能に構成し、前記摺動移動端に可動フードの抜出しを阻止する受止部材を設け、前記受止部材を前記摺動移動端の所定位置に着脱自在に装着し、前記所定位置に、前記受止部材の端縁部に取外治具を作用させるための差込用の凹入溝を形成してある点にあり、その作用効果は次の通りである。
【００１０】
〔作用効果〕
受止部材によって可動フードがリールシートから抜出すことを阻止でき、メインテナンス作業等を行う場合には、受止部材をリールシートの所定位置から取外し、可動フードを取り外す。メインテナンス作業等を終えた後には、可動フードを所定位置に装着し、受止部材を取り付けて可動フードの抜出しを阻止する。
この受止部材を取り外す際には、リールシートの所定位置に形成した差込用の凹入溝内に取外治具を差込み、その取外治具を操作して受止部材を取り外すことができる。
上記のように、差込用の凹入溝は受止部材の裏面側でリールシート側の所定位置に設けてあるので、受止部材の表面側からは視認することができず、装飾効果が高いものであるにもかかわらず、受止部材の端縁部に対向して形成してあるので、取外治具を差し込む操作上での不都合は少ない。
【００１１】
請求項３に係る発明の特徴構成は、リールシートに可動フードを摺動移動自在に装着するとともに、前記可動フードを摺動移動端から取付取外し可能に構成し、前記摺動移動端に可動フードの抜出しを阻止する受止部材を設け、前記受止部材を前記摺動移動端の所定位置に着脱自在に装着し、前記受止部材をその所定位置に取付けた状態で、前記受止部材の端縁部の裏面とその端縁部に対向する前記所定位置の縁部との夫々に、取外治具の差込用の凹入溝を形成してある点にあり、その作用効果は次の通りである。
【００１２】
〔作用効果〕
受止部材によって可動フードがリールシートから抜出すことを阻止でき、メインテナンス作業等を行う場合には、受止部材をリールシートの所定位置から取外し、可動フードを取り外す。メインテナンス作業等を終えた後には、可動フードを所定位置に装着し、受止部材を取り付けて可動フードの抜出しを阻止する。
この受止部材を取り外す際には、受止部材の裏面とリールシートの所定位置との間に形成した差込用の凹入溝内に取外治具を差込み、その取外治具を操作して受止部材を取り外すことができる。
上記のように、差込用の凹入溝は受止部材の裏面とリールシート側の所定位置とに設けてあるので、受止部材の表面側からは視認することができず、装飾効果が高いものであるにもかかわらず、受止部材の端縁部に対向して形成してあるので、取外治具を差し込む操作上での不都合は少ない。
しかも、差込用の凹入溝は、受止部材の裏面とリールシート側の所定位置とに設けてあるので、受止部材の裏面だけに設ける場合に比べて凹入溝を深くすることがなく、受止部材の凹入溝を形成するに必要な強度負担を軽減できる。
【００１３】
請求項４に係る発明の特徴構成は、請求項１〜３のうちいずれか一つに記載の可動フード用の受止部材を備えたリールシートを筒状体に形成し、その筒状リールシートを元竿の所定位置に嵌着してある点にあり、その作用効果は次の通りである。
【００１４】
〔作用効果〕
リールシートを元竿に取り付ける前に、可動フードや受止部材等をリールシートに予め取付ける作業を行うことができるので、製作が能率よく行える。
【発明を実施するための最良の形態】
【００１５】
海釣り、磯釣り等に使用される釣り竿１について説明する。
釣り竿１は、元竿２、複数の中竿、穂先竿とを夫々糸ガイドを備えて振出式の竿に構成してあり、図１に示すように、元竿２の中間部にリール３を取り付けるリールシート５を外嵌装着してある。
【００１６】
釣り竿１は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成されている。
【００１７】
リールシート５の構成について説明する。
図１及び図２に示すように、リールシート５は、ポリエチレン・テレフタレート（ＰＥＴ）やＡＢＳ樹脂等のエンジニアリング樹脂をインジェクションによって成形されている。リール脚を取り付ける表側には、固定フード（竿先側フード）６がリールシート本体と一体形成されており、固定フード６の竿尻側には金属製の可動フード（竿尻側フード）７が竿芯方向にスライド移動自在に装着されている。
【００１８】
図８に示すように、リールシート５における前記表側より１８０°反対側の背面側には、内部空間に連通する開口９が形成されており、この開口９に後記するゴム製のカバー体８が接着固定されることになる。
開口９は、図８に示すように、略先拡がり状の長孔として形成されており、前端が固定フード６に対応する位置まで設けられており、後端は可動フード７が移動する範囲におけるその移動範囲後端近くにまで延出されている。
【００１９】
開口９は、前端よりやや竿尻側の部分の横幅が最も広くなっており、この最も広い横幅部分でも円周方向の１８０°よりは小さな円周方向長さに抑えられている。つまり、図２及び図９に示すように、リールシート５を横側方から見た場合に開口９の縁部は、リールシート５の上下幅方向の中心となる竿軸芯Ｘを越えて下方までは入り込まない状態に形成されている。この開口９の形成によって、元竿２にリールシート５を嵌着するものであっても、開口分だけは軽量化を図ることができるとともに、開口９から直接元竿２に接触することができ元竿２を通して魚の当たりを捉える場合の感度向上を図ることができる。
【００２０】
ゴム製のカバー体８について説明する。図８及び９に示すように、このゴム製カバー体８は、ネオプレン等を材料としてインジェクション成型したエラストマーであり、弾性に富んだものとなっており、その外形形状は開口９の開口縁９ａに沿った形状に形成されている。このゴム製カバー体８の外周面には、「シボ」や「梨地」処理を行って、美観と滑り止め機能を持たせるようにしてある。ゴム製のカバー体８の側面視では、図９に示すように、左右幅方向の中心が高くなっている中高い形状をしているとともに、図１０に示すように、竿軸芯Ｘに沿った方向視では縦断面が略円弧状を呈しており、前記横幅方向での横幅長さが最も広い部分が最も大きな半径による円弧状突出部ａを呈している。この円弧状突出部ａの位置は、両フード６，７に装着されたリール３におけるリール脚の中心位置ｂよりも固定フード６側に寄った位置に設定されている。
【００２１】
ゴム製カバー体８の取付手順は、まず、リールシート５を元竿２の玉口側から外嵌する状態で嵌め込み、リールシート５を元竿２の所定位置において接着剤で固定する。このリールシート５を固定する為に、リールシート５と元竿２の外周面との間に接着剤を塗布しているが、リールシート５に前記した開口９が形成されているので、開口９がない場合に比べて接着剤が偏りなく広がりリールシート５の内周面に遍く塗布されやすい。
【００２２】
リールシート５を接着固定した後、又は、同時にゴム製カバー体８を開口縁９ａに嵌め込み接着固定すると、ゴム製カバー体８の周縁部もその開口縁９に接着されるとともにカバー体８の周縁部より内側に位置する内周面の一部もその元竿２の外周面に接着固定されることになる。
なお、ゴム製カバー体８を球殻状ではなく、円弧状突出部ａを肉の厚いものに形成していれば、ゴム製カバー体８の内周面が元竿２の外周面に沿ったものにでき、元竿２の外周面に密着接着することになり、剥がれにくくなる。
【００２３】
以上のように、リールシート５の背面側に開口９を形成してゴム製カバー体８をその開口縁９ａに嵌め込む状態で接着固定しているので、開口９を形成しないでリールシート５の外周面に直接接着固定するよりも、ゴム製カバー体８の元竿２から半径方向外側への突出量を抑えることができるとともに、重量軽減にも効果がある。また、リールシート５に開口９を設けないでそのリールシート５の外周面に直接ゴム製カバー体８を被着した場合には、竿軸芯Ｘからゴム製カバー体８の突出部分までの半径方向長さが大径になり握りにくくなる。これに対して、本願発明においては、前記したように、リールシート５に開口９を形成して、この開口９内に落とし込む状態でゴム製カバー体８を嵌着しているので、竿軸芯Ｘからゴム製カバー体８の突出部分までの半径方向長さを短くすることができ、握りやすくなっている。
【００２４】
上記した釣り竿１で深せ釣り等を行う場合には、図１及び図２に示すように、釣り竿１を立てて魚を引き込む場合に、リールシート５を握った人指し指と親指との基端部分がその円弧状突出部ａに引っ掛かる状態で位置することになるので、釣り竿１が摺り落ちにくく引き込み操作が行い易い。しかも、円弧状突出部ａは、最も横幅の広い部分でもあるので、握り込む手指に当接するゴム製カバー体８の部分を広くできるので、手指を圧迫することが少なく、長時間握って釣り操作をおこなっても、疲れが少ない。また、手指のゴム製カバー体８に接触する面積が、人指し指側程広くなっているので、滑りにくい。針掛かりした魚を引き込む際に握りが安定しているので、手返し操作等が行い易く、魚の取り込みも容易である。
【００２５】
可動フード７の構成について説明する。リールシート５の可動フード７の取り付け台座５Ａにおける両横側面にガイド溝５ａ，５ａが設けてあり、ガイド溝５ａ，５ａに可動フード７の両脚部７Ａ，７Ａを挿入して、可動フード７をスライド移動可能に構成してある。前記取り付け台座５Ａの上面には可動フード７を係止固定するラック溝が形成してあり、可動フード７に設けられているロック片がラック溝に係合して、可動フード７の位置決めを行えるようになっている。
【００２６】
固定フード６に対する化粧カバー１０について説明する。図３〜５に示すように、化粧カバー１０は、固定フード６のフード状外周面から竿尻側に位置するリール脚の取り付け台座５Ａに亘って被着されるドーム部１０Ａと、そのドーム部１０Ａの竿尻側に延出されて取り付け台座５Ａに嵌め込み装着される長方形状の後延部１０Ｂとで構成されている。ドーム部１０Ａは、半円錐台状の前壁１０ａと、その前壁１０ａの両側端より後方に向けて延出された縦向きの側壁１０ｂと、両側壁１０ｂの後端部上方に連設してある上壁１０ｃとで構成してある。側壁１０ｂと上壁１０ｃとは後方に向けて延出されており、前記した後延部１０Ｂを構成してある。前壁１０ａと側壁１０ｂと上壁１０ｃとの中程に、リール脚挿入用の挿通孔１０Ｃを貫通形成している。ここに、ドーム部１０Ａと後延部１０Ｂとをカバー本体と称する。
【００２７】
化粧カバー１０は、薄板金属に型成形を施したものに樹脂メッキを施して形成されており、弾性変形させた状態で所定位置に装着するようになっている。装着固定状態は、接着剤も併用して行う。つまり、図４に示すように、固定フード６から取り付け台座５Ａに掛けて弾性的に挟み込み載置する為の嵌め込み段差部６Ａ、５Ｂを形成してあり、その段差部６Ａ、５Ｂに化粧カバー１０を取り付けるようにしてある。この段差部６Ａは、前壁１０ａと側壁１０ｂとに凹入して形成してあり、段差部５Ｂは取り付け台座５Ａに凹入させて形成してある。従って、この段差部６Ａに化粧カバー１０を取り付けた状態で、化粧カバー１０と固定フード６の境界面とが段差のない面一状態となるように構成してある。
【００２８】
図４に示すように、化粧カバー１０に設けた挿通孔１０Ｃにおける後延部１０Ｂ側の縁部には、その後延部１０Ｂに向けて入り込む切り欠き部１０ｄを形成してある。この切り欠き部１０ｄを設けてない場合には、化粧カバー１０を段差部６Ａ，５Ｂに装着するために、その化粧カバー１０自体に左右方向等への弾性変形力を加えると、挿通孔１０Ｃの左右の縁部１０ｅ、１０ｅに亀裂が発生する等の不都合があった。そこで、上記したように、切り欠き部１０ｄを形成すると、化粧カバー１０を左右に引き伸ばすように弾性変形させても、その切り欠き部１０ｄが左右幅方向に広がることになり、弾性変形力が挿通孔１０Ｃの左右の縁部１０ｅ、１０ｅに集中するのを緩和することになる。
【００２９】
化粧カバー１０については、ステンレスやアルミニユウム等の金属材料のみで型成型する点を言及したが、樹脂のインジェクション成型で形成することでもよい。また、その樹脂成型品に金属コーティングを施したものであってもよい。さらには、樹脂成型品の挿通孔１０Ｃの縁部だけに金属を嵌め込んで、装飾効果と強度向上を図ることにしてもよい。
【００３０】
次に、可動フード７の抜け止め機能を有する後受止部材（受止部材の一例）１１について説明する。図３〜図７に示すように、後受止部材１１は、樹脂のインジェクション成型品であり、後下がり傾斜面を有する上壁１１Ａと左右の縦向き側壁１１Ｂとからなる。図５に示すように、内面には、左右方向に長い二つの嵌合用凹入部１１ａ，１１ａが前後に平行する状態で形成されている。
一方、リールシート５における取り付け台座５Ａの後端位置には、後受止部材１１を嵌合固定する装着台座５Ｃが凹入形成してあり、この装着台座５Ｃには、前後平行に横長突起５ｂ、５ｂが設けてある。
【００３１】
このような構成によって、装着台座５Ｃに後受止部材１１を載置し、後受止部材１１の上壁１１Ａを押し込むと、装着台座５Ｃに形成した横長突起５ｂ、５ｂが後受止部材１１の嵌合用凹入部１１ａ、１１ａ内に嵌入して、後受止部材１１の弾性変形力によって後受止部材１１が装着台座５Ｃに装着固定される。固定は、カシメ処理を施して行う。後受止部材１１の周縁には内向きの傾斜面となっており、その内向き傾斜面が装着台座５Ｃの周面に形成された傾斜面５ｃに接触する構成となっている。
【００３２】
図７に示すように、後受止部材１１の上壁１１Ａの後端縁部で裏面側に、前向きに凹入する取外具用の挿入凹入溝１１ｂが設けてある。この挿入凹入溝１１ｂは後端縁部の裏面側に上向きに凹入する状態で形成してあるので、上壁１１Ａの表面には現れてはいない。これに対して、後受止部材１１を装着する装着台座５Ｃには、前記挿入凹入溝１１ｂに対応した下向きに凹入する凹入溝５ｃが形成してある。この挿入凹入溝１１ｂと装着台座側の凹入溝５ｃとで挿入孔を形成することによって、リールシート５の装着台座５Ｃに嵌着されている後受止部材１１に対して、挿入孔に取外具としてのマイナスドライバ等を差し込み軽く持ち上げ操作を行うだけで、後受止部材１１を取り外すことができる。
【００３３】
次に、元竿２のリールシート５の装着部より竿尻側の肘当て部１２とリールシート５についての構成について説明する。図１及び図２に示すように、ゴム製カバー体８と肘当て部１２との竿軸芯Ｘから半径方向への突出長さを異なる長さに設定してある。つまり、図２に示すように、竿軸芯Ｘからゴム製カバー体８の円弧状突出部ａまでの突出長Ｐよりも、竿軸芯Ｘから肘当て部１２に最大径部までの突出長Ｑを長くしてある。
【００３４】
このような構成を採っているので、図１に示すように、釣り竿１を立てて操作する場合や、水平に寝かせた状態で当たりを待つ間は、肘当て部１２を肘に当接させて竿を操作することになる。このような操作を行う場合に、前記したような突出長の関係になっているので、肘当て部１２に肘を当てた状態でリールシート５部分を握った手首が安定し、竿の操作が容易になる。前記した手返し操作もより容易になる。
【００３５】
図１及び図２に示すように、肘当て部１２は、全周に亘って特殊な塗装が施されている。つまり、この特殊塗装は、２液型特殊ウレタン樹脂塗料を施したもので、この特殊塗装を施した肘当て部１２は、通常の塗料が有する「素材保護」「美粧」という基本的性能を発揮するとともに、その肘当て部１２に触れた場合の感触が落ち着いた「柔らか味」「温かさ」に溢れたものになる。つまり、このような塗料を塗布することによって、肘当て部１２に僅かな弾性変形力を付与することができ、その肘当て部１２にあてた肘に対する滑り止め効果を持たせることができる。しかも、リールシート５の背面部にはゴム製カバー体８を設けてあるところから、握りの感触を向上させており、両者の協働によって、竿を寝かせて当たりを待つ場合だけでなく、竿を立てて魚を引き抜く操作を行う場合等においても、操作を容易に行うことのできる釣り竿１とできたのである。
【００３６】
リールシート５の横幅Ｄとの関係について説明する。図９、図１０、及び図１１に示すように、化粧カバー１０を固定フード６に装着した状態で、化粧カバー１０の横幅がリールシート５の横幅Ｄより突出しない寸法に形成してある。しかも、段差なく、化粧カバー１０の横側面とリールシート５の横側面とが繋がる状態に形成してある。これによって、図１に示すように、リール脚部を握った場合に、化粧カバー１０に巻回される人指し指等が圧迫を受けることが少ない。
【００３７】
図９及び図１２に示すように、可動フード７をリールシート５の取り付け台座５Ａに装着した状態で、可動フード７の横幅Ｌがリールシート５の横幅Ｄより小さな寸法に形成してある。これによって、図１に示すように、リール脚部を握った場合に、可動フード７に巻回される薬指や小指等が圧迫を受けることが少ない。
【００３８】
〔別実施の形態〕
（１）  取外治具用の挿入凹入溝１１ｂとして受止部材１１に形成する構成のものを示したが、ここでは、リールシート５の所定位置に形成するものであってもよい。リールシート５の所定位置の装着台座５Ｃの端縁部に凹入溝５ｃを設けてもよい。
（２）  取外治具用の挿入凹入溝１１ｂとして受止部材１１に形成する構成のものと、リールシート５の装着台座５Ｃの所定位置に形成するものを示したが、受止部材１１と装着台座５Ｃとの両方に凹入溝を形成し、両凹入溝で取外治具を挿入する孔を形成してもよい。
（３）  リールシート５としては、元竿２と別体に構成するものを示したが、元竿２の所定位置に直接形成するものでもよい。
【図面の簡単な説明】
【００３９】
【図１】竿を立てて、魚を取り込む動作状態を示す側面図
【図２】元竿のリールシートと肘当て部を示す側面図
【図３】リールシートのリール脚取付部を示す斜視図
【図４】化粧カバーと可動フードと後受止部材とを取り外した状態を示す斜視図
【図５】化粧カバーと可動フードと後受止部材との取付前の状態を示す斜視図
【図６】後受止部材の装着前状態を示す平面図
【図７】後受止部材を取り外す状態を示す縦断側面図
【図８】リールシートの開口と、その開口を覆うカバー体を示す斜視図
【図９】元竿にリールシートを取り付けた状態を示す縦断側面図
【図１０】図９におけるＡ―Ａ線断面図
【図１１】図９におけるＢ―Ｂ線断面図
【図１２】図９におけるＣ―Ｃ線断面図
【図１３】図９におけるＤ―Ｄ線断面図
【符号の説明】
【００４０】
５            リールシート
５ｃ          凹入溝
７            可動フード
１１          受止部材
１１ｂ        凹入溝
【図１】
2006025685.tif 000003
【図２】
2006025685.tif 000004
【図３】
2006025685.tif 000005
【図４】
2006025685.tif 000006
【図５】
2006025685.tif 000007
【図６】
2006025685.tif 000008
【図７】
2006025685.tif 000009
【図８】
2006025685.tif 000010
【図９】
2006025685.tif 000011
【図１０】
2006025685.tif 000012
【図１１】
2006025685.tif 000013
【図１２】
2006025685.tif 000014
【図１３】
2006025685.tif 000015